(57)【要約】      （修正有）【課題】不正行為が行われた痕跡を外部に表出することによって、遊技店員が早期に不正行為が行われたことを発見することができる遊技台を提供する。【解決手段】外枠１８０及び内枠１８２の少なくとも一方は、他方となる内枠１８２又は外枠１８０に対向する面の外縁に係合凹部１８０Ａを有し、他方の内枠１８２及び外枠１８０の少なくとも一方は、係合凹部１８０Ａを有する外枠１８０又は内枠１８２に対向する面の外縁に係合凸部１８２Ａを有し、外枠１８０と内枠１８２が係合した状態において、係合凸部１８２Ａが係合凹部１８０Ａの一部又は全部を覆うように係合し、外枠１８０と内枠１８２の間にバールなどの工具が不正に挿入されて内枠１８２を開けようとした場合、係合凸部１８２Ａが変形又は破損して外枠１８０と内枠１８２が係合している状態では、係合凹部１８０Ａの少なくとも一部が表出する遊技台とした。【選択図】図４
2010158320.tif 000002
【特許請求の範囲】
【請求項１】
少なくとも１面が開口し、該開口と連続して形成される収容部を備える箱形状の枠体と、前記枠体の開口を開閉するように設けられる扉体と、を備え、
前記枠体及び前記扉体の少なくとも一方は、他方となる前記扉体又は前記枠体に対向する面の外縁に凹部を有し、
前記他方の扉体及び前記枠体の少なくとも一方は、前記凹部を有する前記枠体又は前記扉体に対向する面の外縁に凸部を有し、
前記枠体と前記扉体が係合した状態において、前記凸部が前記凹部の一部又は全部を覆うように係合し、前記枠体と前記扉体の間に異物が不正に挿入された場合、前記凸部が変形又は破損して前記枠体と前記扉体が係合している状態では、前記凹部の少なくとも一部が表出するように構成されていることを特徴とする遊技台。
【請求項２】
前記凹部は、識別情報を有する表示手段を備え、
前記凸部が変形又は破損した場合、前記表示手段は、前記扉体が不正行為によって開けられたことを示す識別情報を外部に表示することを特徴とする、
請求項１に記載の遊技台。
【請求項３】
前記識別情報は、少なくとも前記枠体及び前記扉体のいずれの側面部表面の形態とは異なる形態であることを特徴とする、
請求項２に記載の遊技台。
【請求項４】
前記凸部は、先端近傍で細くなっていることを特徴とする、
請求項１乃至３のいずれか１項に記載の遊技台。
【請求項５】
前記凸部は、少なくとも一部に弱構造部を有していることを特徴とする、
請求項１乃至４のいずれか１項に記載の遊技台。
【請求項６】
前記弱構造部は、前記凸部の一部に設けられる括れ部又は切り欠き部であることを特徴とする、
請求項５に記載の遊技台。
【請求項７】
前記凸部は、該凸部が設けられている前記枠体又は前記扉体とは別部材で構成され、前記枠体又は前記扉体よりも軟質材で形成されていることを特徴とする
請求項１乃至６のいずれか１項に記載の遊技台。
【請求項８】
前記枠体は、前記遊技台を構成する遊技装置を収容するとともに、前記扉体は、前記遊技台を構成する遊技装置を収容することを特徴とする、
請求項１乃至７のいずれか１項に記載の遊技台。
【発明の詳細な説明】
【技術分野】
【０００１】
本発明は、パチンコやスロットマシンなどに代表される遊技台に関する。
【背景技術】
【０００２】
従来、遊技台の本体と扉の間にバール３００等の工具を挿入させることによって扉をこじ開け、遊技台を内部から操作される不正行為が行われる場合があった。このため、本体の縁端部に筺体枠プレート１０１、扉の縁端部に中枠プレート１２１を設け、本体と扉が係合したときに一部をオーバーラップするように形成することによって、扉のこじ開けが行われたとしても所定のオーバーラップ量以下であれば、閉塞状態が維持される遊技台が発明されている（例えば、特許文献１参照）。
【先行技術文献】
【特許文献】
【０００３】
【特許文献１】特開２００８−１７３３３８号公報
【発明の概要】
【発明が解決しようとする課題】
【０００４】
しかしながら、上述した特許文献１に開示されている発明は、本体１０００と扉１１００を強引にこじ開けられて不正行為が行われた後（図１２（ａ）、（ｂ）参照）、扉１１００を元の位置に戻された場合、本体１０００の凹部１０１０と扉１１００の凸部１１１０が略そのままの状態で最初の係合位置に戻り（図１２（ｃ）参照）、不正行為が行われたか否かが容易に判別できないため、不正行為の発見が遅れてしまうという問題があった。
【０００５】
本発明は、斯かる実情に鑑み、不正行為が行われた痕跡を外部に表出することによって、遊技店員が早期に不正行為が行われたことを発見することができる遊技台を提供しようとするものである。
【課題を解決するための手段】
【０００６】
（１）本発明は、少なくとも１面が開口し、該開口と連続して形成される収容部を備える箱形状の枠体と、前記枠体の開口を開閉するように設けられる扉体と、を備え、前記枠体及び前記扉体の少なくとも一方は、他方となる前記扉体又は前記枠体に対向する面の外縁に凹部を有し、前記他方の扉体及び前記枠体の少なくとも一方は、前記凹部を有する前記枠体又は前記扉体に対向する面の外縁に凸部を有し、前記枠体と前記扉体が係合した状態において、前記凸部が前記凹部の一部又は全部を覆うように係合し、前記枠体と前記扉体の間に異物が不正に挿入された場合、前記凸部が変形又は破損して前記枠体と前記扉体が係合している状態では、前記凹部の少なくとも一部が表出するように構成されていることを特徴とする遊技台である。
【０００７】
（２）本発明はまた、前記凹部は、識別情報を有する表示手段を備え、前記凸部が変形又は破損した場合、前記表示手段は、前記扉体が不正行為によって開けられたことを示す識別情報を外部に表示することを特徴とする、（１）に記載の遊技台である。
【０００８】
（３）本発明はまた、前記識別情報は、少なくとも前記枠体及び前記扉体のいずれの側面部表面の形態とは異なる形態であることを特徴とする、（２）に記載の遊技台である。
【０００９】
（４）本発明はまた、前記凸部は、先端近傍で細くなっていることを特徴とする、（１）乃至（３）のいずれかに記載の遊技台である。
【００１０】
（５）本発明はまた、前記凸部は、少なくとも一部に弱構造部を有していることを特徴とする、（１）乃至（４）のいずれかに記載の遊技台である。
【００１１】
（６）本発明はまた、前記弱構造部は、前記凸部の一部に設けられる括れ部又は切り欠き部であることを特徴とする、（５）に記載の遊技台である。
【００１２】
（７）本発明はまた、前記凸部は、該凸部が設けられている前記枠体又は前記扉体とは別部材で構成され、前記枠体又は前記扉体よりも軟質材で形成されていることを特徴とする（１）乃至（６）のいずれかに記載の遊技台である。
【００１３】
（８）本発明はまた、前記枠体は、前記遊技台を構成する遊技装置を収容するとともに、前記扉体は、前記遊技台を構成する遊技装置を収容することを特徴とする、（１）乃至（７）のいずれかに記載の遊技台である。
【発明の効果】
【００１４】
本発明の遊技台によれば、不正行為が行われた痕跡を外部に表出することによって、遊技店員が早期に不正行為が行われたことを発見することができる遊技台を提供できるという優れた効果を奏し得る。
【図面の簡単な説明】
【００１５】
【図１】第１実施形態に係るパチンコ機１００を正面（遊技者側）から見た状態を示す略示正面図である。
【図２】同パチンコ機１００を背面（遊技島側）から見た状態を示した外観斜視図である。
【図３】（ａ）は同パチンコ機１００の正面図であり、（ｂ）は図（ａ）の矢視Ａ−Ａ方向から見たパチンコ機１００の断面図であり、（ｃ）は同図（ｂ）の矢視Ｂ−Ｂ方向から見たパチンコ機１００の断面図であり、（ｄ）は同図（ｂ）のＪ部拡大図であり、（ｅ）は同図（ｃ）のＫ部拡大図である。
【図４】（ａ）は、不正行為前の外枠１８０と内枠１８２の係合部を拡大した断面図であり、（ｂ）は、バールで不正行為を行っている最中の外枠１８０と内枠１８２の係合部を拡大した断面図であり、（ｃ）は、不正行為終了後の外枠１８０と内枠１８２の係合部を拡大した断面図であり、（ｄ）は、同図（ｃ）に示す矢視Ｃ方向から見た外枠１８０と内枠１８２の係合凹部１８０Ａ及び係合凸部１８２Ａの拡大図である。
【図５】他の実施形態に係る外枠１８０及び内枠１８２の係合凹部１８２Ａに付する識別模様の一例である。
【図６】（ａ）は、本発明の第３実施形態に係る外枠１８０及び内枠１８２の係合凹部１８２と係合凸部２００近傍を拡大した断面図であり、（ｂ）は、本発明の第４実施形態に係る外枠１８０及び内枠１８２の係合凹部２１０と係合凸部２２０近傍を拡大した断面図である。
【図７】（ａ）〜（ｃ）は、本発明の第５実施形態に係る外枠１８０及び内枠１８２の係合凹部と係合凸部近傍を拡大した断面図である。
【図８】（ａ）〜（ｅ）は、本発明の第６実施形態に係る外枠１８０及び内枠１８２の係合凹部と係合凸部近傍を拡大した断面図である。
【図９】（ａ）は、本発明の第７実施形態に係る外枠１８０及び内枠１８２の係合凸部及び係合凹部近傍を拡大した断面図であり、（ｂ）は、本発明の第８実施形態に係る外枠１８０と内枠１８２の係合凹部及び係合凸部近傍の拡大断面図である。
【図１０】本発明の第９実施形態に係る外枠１８０及び内枠１８２の係合凸部と係合凹部近傍を拡大した断面図である。
【図１１】本発明に係る係合凹部及び係合凸部を利用した基板ケース２００の開放状態を示す概略斜視図である。
【図１２】従来の不正行為の手順と仕組みを示す模式図である。
【発明を実施するための形態】
【００１６】
以下、図面を用いて、本発明の実施例に係るパチンコ機（遊技台）について詳細に説明する。
＜全体構成＞
【００１７】
まず、図１を用いて、本発明の第1実施形態に係るパチンコ機１００の全体構成について説明する。なお、同図はパチンコ機１００を正面（遊技者側）から見た状態を示す略示正面図である。
【００１８】
パチンコ機１００は、遊技領域１０４を覆う閉状態および該遊技領域１０４を開放する開状態のうちの一方から他方に開閉状態を変化可能な上扉１５０と、この上扉１５０の奥側に視認可能に配設された遊技盤(盤面)１０２を備えている。この遊技盤１０２には、遊技球（以下、単に球と称する場合がある。）を遊技盤１０２の中央に位置する遊技領域１０４に案内するための外レール１０６と内レール１０８を配設している。
【００１９】
遊技領域１０４の中央やや上側には、横長の装飾図柄表示装置１１０を配設し、遊技領域１０４の右下には、普通図柄表示装置１１２と、特別図柄表示装置１１４と、普通図柄保留ランプ１１６と、特別図柄保留ランプ１１８とを配設している。なお、以下、普通図柄を普図、特別図柄を特図と称する場合がある。さらに、装飾図柄表示装置１１０の右下方には高確中ランプ１２０を配設し、装飾図柄表示装置１１０の左方から下方にかけては、ワープ装置１２１を配設している。
【００２０】
装飾図柄表示装置１１０は、装飾図柄を表示するための表示装置であり、本実施例では液晶表示装置によって構成する。この装飾図柄表示装置１１０は、左図柄表示領域１１０ａ、中図柄表示領域１１０ｂ、右図柄表示領域１１０ｃの３つの表示領域に分割し、各々の表示領域１１０ａ、１１０ｂ、１１０ｃに異なった装飾図柄を表示することを可能としている。
【００２１】
普図表示装置１１２は、普図の表示を行うための表示装置であり、本実施例では７セグメントＬＥＤによって構成する。特図表示装置１１４は、特図の表示を行うための表示装置であり、本実施例では７セグメントＬＥＤによって構成する。なお、普図及び特図の詳細な説明は省略する。
【００２２】
普図保留ランプ１１６は、保留している普図変動遊技の数を示すためのランプであり、本実施例では、普図変動遊技の開始を２つまで保留することを可能としている。特図保留ランプ１１８は、保留している特図変動遊技の数を示すためのランプであり、本実施例では、特図変動遊技の開始を４つまで保留することを可能としている。なお、普図変動遊技及び特図変動遊技の詳細は省略する。
【００２３】
高確中ランプ１２０は、遊技状態が高確率状態であること、または高確率状態になることを示すためのランプであり、遊技状態を低確率状態から高確率状態にする場合に点灯し、高確率状態から低確率状態にする場合に消灯する。
【００２４】
ワープ装置１２１は、装飾図柄表示装置１１０の左方で左上方に向けて開口する入球口に入球した遊技球を後述する第１特図始動口１２６および第２特図始動口１２８の上方の排出口から排出するものである。従って、このワープ装置１２１を通過した遊技球は、第１特図始動口１２６または第２特図始動口１２８に高い確率で入球するようになっている。
【００２５】
また、これらの表示装置やランプ等の周囲には、一般入賞口１２２と、普図始動口１２４と、第１特図始動口１２６と、第２特図始動口１２８と、可変入賞口１３０を配設している。
【００２６】
一般入賞口１２２は、本実施例では左右に２つずつ配設しており、この一般入賞口１２２への入球を所定の球検出センサ（図示省略）が検出した場合（一般入賞口１２２に入賞した場合）、後述する払出装置を駆動し、所定の個数（本実施例では１０個）の球を賞球として後述する貯留皿１７１に排出する。貯留皿１７１に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を賞球、遊技者に貸し出す球を貸球と区別して呼ぶ場合があり、賞球と貸球を総称して球（遊技球）と呼ぶ。
【００２７】
普図始動口１２４は、ゲートやスルーチャッカーと呼ばれる、遊技領域１０４の所定の領域を球が通過したか否かを判定するための装置で構成しており、本実施例では左右に１つずつ配設している。普図始動口１２４を通過した球は一般入賞口１２２に入球した球と違って、遊技島側に排出することはない。球が普図始動口１２４を通過したことを所定の球検出センサが検出した場合、パチンコ機１００は、普図表示装置１１２による普図変動遊技を開始する。
【００２８】
第１特図始動口１２６は、本実施例では中央に１つだけ配設している。この第１特図始動口１２６への入球を所定の球検出センサが検出した場合、後述する払出装置を駆動し、所定の個数（本実施例では３個）の球を賞球として後述する貯留皿１７１に排出するとともに、特図表示装置１１４による特図変動遊技を開始する。なお、第１特図始動口１２６に入球した球は、パチンコ機１００の裏側に誘導した後、遊技島側に排出する。
【００２９】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、後述する払出装置を駆動し、所定の個数（本実施例では５個）の球を賞球として後述する貯留皿１７１に排出するとともに、特図表示装置１１４による特図変動遊技を開始する。なお、第２特図始動口１２８に入球した球は、パチンコ機１００の裏側に誘導した後、遊技島側に排出する。
【００３０】
可変入賞口１３０は、大入賞口またはアタッカーと呼ばれ、本実施例では遊技領域１０４の中央部下方に１つだけ配設している。この可変入賞口１３０は、開閉自在な扉部材を備え、扉部材の閉鎖中は球の入球が不可能であり、特図変動遊技に当選し、特図表示装置１１４が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、後述する払出装置を駆動し、所定の個数（本実施例では１５球）の球を賞球として後述する貯留皿１７１に排出する。なお、可変入賞口１３０に入球した球は、パチンコ機１００の裏側に誘導した後、遊技島側に排出する。
【００３１】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００３２】
上扉１５０の下方には、上扉１５０同様に開閉状態を変化可能な下扉１６０を配設している。下扉１６０の後方（遊技盤１０２の下方）には、後述する発射モータによって回動する発射杆（図示省略）と、この発射杆の先端部に取り付けられて球を遊技領域１０４に向けて打ち出す発射槌（図示省略）と、この発射槌によって打ち出された球を外レール１０６に導くための発射レール（図示省略）と、この発射レールに発射槌によって打ち出す球を供給する球送り装置（図示省略）等が配設されている。
【００３３】
そして、下扉１６０には、球を一時的に貯留すると共に、貯留している球を順次、球送り装置に供給するための貯留皿１７１と、発射杆を制御して遊技領域１０４に向けて球の発射強度の操作を行うための操作ハンドル１７２と、遊技者による押下操作が可能であり、所定の時期にその操作を検出した場合に上述の装飾図柄表示装置１１０などによる演出表示を変化させるためのチャンスボタン１７３と、遊技者が貸球の貸し出しを受ける場合に押下される球貸しボタン１７４と、貯留皿１７１に貯留できない球を別の容器に排出するための下部排出口１７５と、払出通路から下部排出口１７５に繋がる通路を開閉するための球抜きレバー１７６を配設している。
【００３４】
また、演出用のスピーカとして、上扉１５０の上部に２つの上部スピーカ１５０ａを配設すると共に、下扉１６０の左側内部に１つの下部スピーカ１６０ａを配設している。上部スピーカ１５０ａは、直前の上部スピーカダクトに接続され、下部スピーカ１６０ａは、操作ハンドル１７２の下方で前方に向けて開口する下部スピーカダクト１６０ｂに接続されている。
【００３５】
さらに、図示は省略するが、装飾用のランプとして、遊技盤１０２の所定箇所（例えば、内レール１０８の内周側に沿った箇所）に複数種類の盤ランプを配設すると共に、上扉１５０および下扉１６０の所定箇所に複数種類の枠ランプを配設している。
【００３６】
このパチンコ機１００は、遊技者が貯留皿１７１に貯留している球を発射レールの発射位置に供給し、遊技者の操作ハンドル１７２の操作量に応じた強度で発射モータを駆動し、発射杆および発射槌によって外レール１０６、内レール１０８を通過させて遊技領域１０４に打ち出す。そして、遊技領域１０４の上部に到達した球は、打球方向変換部材１３２や遊技釘１３４などによって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００３７】
図２は、パチンコ機１００を背面（遊技島側）から見た状態を示した外観斜視図である。同図に示されるように、パチンコ機１００は、遊技島に固定される部材である外枠１８０と、この外枠１８０の前方（遊技者側）に開状態と閉状態うちの一方から他方に開閉状態を変化可能、すなわち回転開閉可能に配設される内枠１８２を備えている。上述の上扉１５０および下扉１６０は、この内枠１８２の前方に回転開閉可能に配設されている。内枠１８２は、内枠支持ブラケット１８３を介して、パチンコ機１００の正面から見て左端部に設定された略鉛直方向の回転軸を中心として、外枠１８０に対して回転開閉可能となっている。また、上扉１５０および下扉１６０は、内枠支持ブラケット１８３を介して、内枠１８２の回転軸と同一の回転軸を中心として、内枠１８２に対して回転開閉可能となっている。
【００３８】
内枠１８２の表面（パチンコ機１００の正面側の面）側には上述の遊技盤１０２等が配設されている。そして、内枠１８２の裏面（パチンコ機１００の背面側の面）側上部には、遊技島から供給された遊技球を一時的に貯留するタンク１８４と、タンク１８４に貯留された遊技球を払出装置１８５に導く２条の通路であるタンクレール１８６が配設されている。払出装置１８５は、複数の遊技球を保持すると共に、所定の個数の賞球または貸球を貯留皿１７１に向けて払い出すものであり、パチンコ機１００の背面から見てタンクレール１８６の右側下方に配設されている。
【００３９】
タンクレール１８６の略真下には、後述する演出制御部を構成する演出制御基板１９０および装飾図柄表示装置１１０が前後に（内枠１８２の表面から裏面方向に）重ねられて配設されている。さらに、演出制御基板１９０および装飾図柄表示装置１１０の下方には、後述する主制御部を構成する主制御基板１９２およびその他の回路基板１９４が前後に（内枠１８２の表面から裏面方向に）重ねられて配設されており、さらにその下には、後述する払出制御部を構成する払出制御基板１９６および電源基板１９８が配設されている。主制御基板１９２は、封印構造を備えた基板ケース２００内に収納された状態で配設されている。
【００４０】
本実施例では、遊技の結果に影響を及ぼし、または及ぼすおそれがある機能を有する回路基板である主基板（主制御基板１９２、払出制御基板１９６等）を、内枠１８２を開いた状態で容易に視認可能な内枠１８２の最裏面に配設している。そして、主基板のうちマイクロプロセッサまたはＲＯＭが装着されていない副基板（電源基板１９８等）をこれら最裏面の主基板の前方に重ねて配設している。
【００４１】
＜不正行為防止構造＞
【００４２】
次に、図３を用いて不正行為防止構造について説明する。同図（ａ）は、パチンコ機１００の正面図であり、同図（ｂ）は、同図（ａ）の矢視Ａ−Ａ方向から見たパチンコ機１００の断面図であり、同図（ｃ）は、同図（ａ）の矢視Ｂ−Ｂ方向から見たパチンコ機１００の断面図であり、同図（ｄ）は、同図（ｂ）のＪ部拡大図であり、同図（ｅ）は、同図（ｃ）のＫ部拡大図である。なお、同図（ａ）〜（ｅ）は、パチンコ機１００の概略図であり、説明に直接必要のない部材及び装置については、図示を省略する。
【００４３】
前述したが、パチンコ機１００は、背面に設けられた外枠１８０の前面側に内枠１８２が設けられている。また、内枠１８２は、外枠１８０の長手方向の角部近傍に設けられた内枠支持ブラケット１８３によって回動可能に軸支されている。更に、内枠１８２の前面側には、上扉１５０及び下扉１６０が設けられている。この上扉１５０及び下扉１６０は、内枠１８０と同様に内枠支持ブラケット１８３に回動可能に軸支され、それぞれ別々に回動できるようになっている。つまり、内枠１８２は、外枠１８０に対して開閉し、上扉１５０及び下扉１６０は、内枠１８２に対して更に別々に開閉できるようになっている。
【００４４】
図３（ｂ）〜（ｅ）の断面図を用いて、本実施形態の不正行為防止構造について説明する。
【００４５】
まず、同図（ｃ）及び（ｅ）に示されるように、パチンコ機１００の外枠１８０の自由端側（内枠支持ブラケット１８３による回動軸でない側）の外縁には係合凹部１８０Ａが形成されている。
【００４６】
パチンコ機１００の内枠１８２の自由端側の外縁には、内枠１８２を閉扉して外枠１８０と係合した場合に係合凹部１８０Ａと対向するように係合凸部１８２Ａが形成されている。係合凸部１８２Ａは、薄板状の片状部材であり、内枠１８２外縁から外枠１８０方向に突出し、係合凹部１８０Ａの側面と係合するように設けられている。
【００４７】
したがって、パチンコ機１００の内枠１８２を閉じて外枠１８０に係合させた場合、内枠１８２に設けられている係合凸部１８２Ａは、外枠１８０に設けられている係合凹部１８０の少なくとも一部を覆うように係合する。
【００４８】
なお、本実施形態に示されるように、ピアノ線などの不正行為を行う道具を差し込まれ難くするように、係合凹部１８０Ａと係合凸部１８２Ａは、略密接状態で係合するようになっていることが好ましいが、勿論これに限定されるものではない。例えば、係合凹部１８０Ａと係合凸部１８２Ａの間にはピアノ線等が侵入できない程度の隙間があいていても良い。
【００４９】
次に、同図（ｂ）及び（ｄ）に示されるように、外枠１８０下側の外縁近傍には係合凹部１８０Ｂが形成され、内枠１８２下側の外縁近傍には係合凸部１８２Ｂが形成されている。
【００５０】
前述した係合凹部１８０Ａ及び係合凸部１８２Ａと同様に、内枠１８２を閉じて外枠１８０と係合させた場合に、下側に形成されている係合凹部１８０Ｂと係合凸部１８２Ｂも略密接状態で係合するようになっている。また、係合凸部１８２Ｂは、係合凹部１８０Ｂと係合する係合面の少なくとも一部を覆うように係合する。
【００５１】
なお、前述したように係合凸部１８２Ａ、１８２Ｂは薄板状の片状の突起であるので、外力に対して弱くなっている。したがって、内枠１８２をこじ開けるためにバールなどで力を加えられると容易に変形又は破損するようになっている（詳細は後述）。
【００５２】
また、本実施形態に示されるように、ピアノ線などの不正行為を行う道具を差し込まれ難くするように、係合凹部１８０Ｂと係合凸部１８２Ｂは、略密接状態で係合するようになっていることが好ましいが、勿論これに限定されるものではない。例えば、係合凹部１８０Ｂと係合凸部１８２Ｂの間にはピアノ線等が侵入できない程度の隙間があいていても良い。
【００５３】
また、係合凹部１８０Ａ、１８０Ｂや係合凸部１８２Ａ、１８２Ｂの幅や長さは図示の程度ものに限定されるものではない。つまり、不正行為に多く用いられるバールやピアノ線を挿入した場合に、挿入を阻止できる形状となっていることが好ましい。
【００５４】
次に、図４（ａ）〜（ｄ）を用いて、バールで内枠１８２をこじ開ける場合の不正行為を検知する方法について説明する。
【００５５】
同図（ａ）は、不正行為前の外枠１８０と内枠１８２の係合部を拡大した断面図であり、（ｂ）は、バールで不正行為を行っている最中の外枠１８０と内枠１８２の係合部を拡大した断面図であり、（ｃ）は、不正行為終了後の外枠１８０と内枠１８２の係合部を拡大した断面図であり、（ｄ）は、同図（ｃ）に示す矢視Ｃ方向から見た外枠１８０と内枠１８２の係合凹部１８０Ａ及び係合凸部１８２Ａの拡大図である。
【００５６】
不正行為前（通常状態）の内枠１８２が外枠１８０に閉扉している状態において、外枠１８０に設けられた係合凹部１８０Ａと内枠１８２に設けられた係合凸部１８２Ａは密接状態で係合している（同図（ａ）参照）。
【００５７】
次に、同図（ａ）の状態から、バール３００などの道具で内枠１８２をこじ開けようとするような不正行為を働いた場合、薄板の片状部材である係合凸部１８２Ａは脆弱なため、バール３００の力により変形又は破損する（同図（ｂ）は、係合凸部１８２Ａが変形した状態を示している）。なお、バール３００は、同図（ｂ）に示されるように、島設備３２０をテコにして係合凸部１８２Ａに力を加えられることが多い。
【００５８】
同図（ｄ）は、バールによる不正行為が行われた後の同図（ｃ）の矢視Ｃ方向から、係合凹部１８０Ａ及び係合凸部１８２Ａ近傍を見た拡大図である。外枠１８０の側面はａ、係合凹部１８０Ａの側面はｂ、係合凹部１８０Ａの正面はｃ、係合凸部１８２Ａの凸部上端面はｄ、係合凸部１８２Ａの凸部側面はｅ、内枠１８２の側面はｆで表している。
【００５９】
同図（ｄ）に示されるように、遊技店の店員などがパチンコ機１００の外部から不正行為が行われた箇所を矢印Ｃ方向から見た場合、上から外枠１８０の側面ａ、係合凹部１８０Ａの側面ｂ、係合凹部１８０Ａの正面ｃ、係合凸部１８２Ａの凸部上端面ｄ、係合凸部１８２Ａの凸部側面ｅ、内枠１８２の側面ｆの層状の模様として見えるので、不正行為を早期に発見することができる。
【００６０】
上記の構成から、少なくとも１面が開口し、該開口と連続して形成される収容部を備える箱形状の外枠１８０と、外枠１８０の開口を開閉するように設けられる内枠１８２と、を備え、外枠１８０及び内枠１８２の少なくとも一方は、他方となる内枠１８２又は外枠１８０に対向する面の外縁に係合凹部１８０Ａを有し、他方の内枠１８２及び外枠１８０の少なくとも一方は、係合凹部１８０Ａを有する外枠１８０又は内枠１８２に対向する面の外縁に係合凸部１８２Ａを有し、外枠１８０と内枠１８２が係合した状態において、係合凸部１８２Ａが係合凹部１８０Ａの一部又は全部を覆うように係合し、外枠１８０と内枠１８２の間にバールなどの工具が不正に挿入されて内枠１８２を開けようとした場合、係合凸部１８２Ａが変形又は破損して外枠１８０と内枠１８２が係合している状態では、係合凹部１８０Ａの少なくとも一部が表出する構成としたので、バールなどの工具が挿入されて破損したことを遊技店の店員は早期に発見することができる。
【００６１】
なお、本実施形態では、係合凹部１８０Ａ及び係合凸部１８２Ａについて説明したが、勿論、係合凹部１８０Ｂ及び係合凸部１８２Ｂにも同様の構造を用いることによって、不正行為を発見し易くすることができ、その他の部位に本構造を採用しても好ましいことは言うまでもない。
【００６２】
また、本発明の他の実施形態として、図５に示されるように、係合凹部１８０Ａに識別模様Ｍを付しても好ましい。同図は、本発明の他の実施形態に係る係合凹部１８０Ａに付する識別模様Ｍの一例である。
【００６３】
識別模様Ｍは、係合凹部１８０Ａの側面ｂと正面ｃに波線模様として付されている。なお、係合凹部１８０Ａに識別模様Ｍを付す方法は、係合凹部１８０Ａにインク等で直接描いても良く、表面に模様を描いたシール材を係合凹部１８０Ａに張り付けてもよい。
【００６４】
このように、係合凹部１８０Ａに識別情報としての模様Ｍを付しておくことによって、係合凸部１８２Ａが変形又は破損した場合に、係合凹部１８０Ａは他の面（例えば、外枠１８０の側面ａ、係合凸部１８２Ａの凸部上端面ｄ、凸部側面ｅ、内枠１８２の側面ｆ）と異なる態様で表示される。つまり、遊技店の店員は、不正行為が行われたことによって係合凸部１８２Ａが変形し、係合凹部１８０が露出したことをより容易に認識でき、早期に不正行為を発見することができる。
【００６５】
したがって、係合凹部１８０Ａは、識別情報（例えば、識別模様Ｍ又は後述する層構造の識別模様Ｎ）を有する表示手段（例えば、識別模様Ｍや後述する層構造の識別模様Ｎ）を備え、係合凸部１８２Ａが変形又は破損した場合、前記表示手段は、内枠１８２が不正行為によって開けられたことを示す前記識別情報を外部に表示するようにしているので、遊技店の店員は、係合凸部１８２Ａが破壊されて係合凹部１８０Ａが露出したことをより認識し易くなるため、バールが挿入されて不正行為が行われたことをより早期に発見することができる。
【００６６】
また、前記識別情報は、少なくとも外枠１８０及び内枠１８２のいずれの側面部表面の形態とは異なる形態となっているので、係合凹部１８０Ａが露出したことをより認識し易くなるため、バールが挿入されて不正行為が行われたことをより早期に発見することができる。
【００６７】
なお、識別模様Ｍは、係合凹部１８０Ａの側面ｂ及び正面ｃの少なくともいずれかが有していれば良い。つまり、係合凹部１８０Ａの側面ｂ及び正面ｃの少なくともいずれかの識別模様Ｍが、他の面ａ、ｄ、ｅの模様と異なるので、遊技店の店員は、不正行為があったことを早期に発見することができる。
【００６８】
また、図６（ａ）に示されるように、本発明の第３実施形態として、係合凸部２５０を先端２５２（係合凹部１９０側）に行くほど、細くなるように形成しても良い。なお、係合凸部２５０は、先端２５２が細くなっているという形状的な差異を除いては、第１実施形態に係る係合凸部１８２Ａと略同じであるので、詳細な説明は省略する。
【００６９】
係合凸部２５０は、根元部分から先端２５２に行くに従って細くなっており、いわゆるテーパ形状になっている。また、係合凹部１９０は、係合凸部２５０と対向するようにテーパ形状となっており、係合凹部１９０と係合凸部２５０は略密接状態で係合するようになっている。更に、係合凹部１９０及び係合凸部２５０は、前面側（遊技者）側から離れる方向にテーパ形状となっているため、島設備３２０をテコとしてバールを用いることができないので、内枠１８２を人の力でこじ開けることは非常に困難となり、その結果として不正行為を防ぐことができる。
【００７０】
上記のように、係合凸部２５０を先端２５２に行くほど細くすることによって、不正行為が行われた場合に、係合凸部２５０の先端２５２が変形又は破損する確率が高くなり、より確実に係合凹部１９０を露出させることができる。つまり、遊技店の店員は、ちょっとの不正行為でもより確実に、且つ早期に発見することができる。
【００７１】
また、図６（ｂ）に示されるように、本発明の第４実施形態として、係同凹部と係合凸部の係合面を曲面にしても好ましい。なお、係合凹部２６０及び係合凸部２７０は、係合面が曲面になっているという形状的な差異を除いては、第１実施形態に係る係合凹部１８０Ａ及び係合凸部１８２Ａと同じであるので、詳細な説明は省略する。
【００７２】
係合凹部２６０及び係合凸部２７０は、同図（ｂ）に示されるように、遊技者側にＲの凸部となるように曲面が形成されている。換言すると、係合凹部２６０と係合凸部２７０の係合面は、パチンコ機１００の外縁に行くに従って遊技者から離れる方向に湾曲するように形成されている。
【００７３】
また、前述と同様に、係合凸部２７０は、先端２７２に行くに従って細くなっているので、係合凸部２７０は、変形又は破損し易くなっており、遊技店の店員は早期に不正行為を発見することができる。
【００７４】
これによって、不正行為を行う者は、バール（図示省略）を自分から離れる側（反対側）に湾曲している先端２７２から挿入しなければならず、非常に挿入し難くなっている。また、仮にバールを挿入出来たとしても、挿入方向が自分と離れる方向に形成されているに為に、島設備３２０をテコとしてバールを用いることができないので、内枠１８２を人の力でこじ開けることは非常に困難となり、その結果として不正行為を防ぐことができる。
【００７５】
図７（ａ）〜（ｃ）は、本発明の第５実施形態に係る係合凹部及び係合凸部近傍を拡大した断面図である。この第５実施形態に係る係合凸部は、係合凸部の根元近傍に括れ（くびれ）部又は切欠きが形成されているところに特徴がある。なお、同図（ａ）に示される係合凹部は、第1実施形態の係合凹部１８０Ａ、同図（ｂ）及び（ｃ）に示される係合凹部は、第３実施形態の係合凹部１９０と同じであるので、同一の番号を付し、詳細な説明は省略する。
【００７６】
同図（ａ）は、係合凸部４００の根元に括れ部４０２が形成されている例である。このように係合凸部４００の根元近傍に、小さい力でも変形又は破損する弱構造部材である括れ部４０２を設けることによって、バールなどの外力が括れ部４０２に集中し、係合凸部４００が変形又は破損し易くなる。したがって、ちょっとの不正行為でも、係合凸部４００が変形してその下の係合凹部１８０Ａが露出することによって、遊技店の店員は、不正行為があったことを早期に発見することができる。
【００７７】
同図（ｂ）は、係合凸部４２０に複数の括れ部４２２が形成され、更に先端４２４に行くに従って細くなっている例である。本実施例のように、係合凸部４２０に複数の括れ部４２２を設け、且つ先端４２４に行くに従って三角形状に細くなっているので、バールの僅かな力でも変形又は破損される可能性がより高くなる。したがって、この場合も、遊技店の店員は、不正行為があったことを早期に発見することができる。
【００７８】
したがって、上記の第５実施形態の凸部（例えば、係合凸部４００、４２０、４４０）は、少なくとも一部に弱構造部（例えば、括れ部４０２、４２２、４４２）を有しているので、バールの僅かな力でも変形又は破損される可能性がより高くなり、遊技店の店員は、不正行為があったことを早期に発見することができる。
【００７９】
また、括れ部４２２は、係合凸部４２０に段階的に形成されているので、バールで加える力の大きさによって、係合凸部４２０は段階的に変形又は破損するようになっている。例えば、内枠１８２が完全にこじ開けられる程の力を加えられた場合には、係合凸部４２０の根元まで完全に変形又は破損するが、完全にこじ開けられない程度の小さな力を加えられた場合には、途中での変形又は破損に止まる。つまり、遊技店の店員は、変形の量を目視で即座に確認できるとともに、被害の程度を推測できるので、その後の対応方法を迅速に判断することができる。
【００８０】
また、同図（ｃ）は、係合凸部４４０に、係合凹部１９０との対向方向に複数の括れ部４４２が形成されている例である。換言すると、係合凹部１９０に向かって、内枠１８０から複数の係合凸部４４０が突出して設けられているようになっている。
【００８１】
これによって、前述と同様に、小さい力でもバールによって、係合凸部４４０が変形又は破損し、下の係合凹部１９０が露出することによって、遊技店の店員は容易に不正行為を発見し、迅速な対応をとることができる。
【００８２】
なお、同図（ｂ）、（ｃ）の実施例の場合には、係合凹部と係合凸部の係合面が遊技者から離れる方向に形成されているので、第３、４実施形態と同じようにバールを挿入し難く、不正行為が非常に行い難くなっている。
【００８３】
次に図８（ａ）〜（ｅ）を用いて、本発明の第６実施形態に係る係合凹部と係合凸部について説明する。なお、同図（ｂ）〜（ｄ）は、内枠１８２を省略している。
【００８４】
この第６実施形態は、外枠１８０と内枠１８２の間にピアノ線などの工具が挿入された場合に、ピアノ線をパチンコ機１００の内部に進入させないための返しが係合凹部又は係合凸部に設けられているところに特徴がある。
【００８５】
まず、同図（ａ）に示されるように、外枠１８０に鍵状の係合凹部５０１が設けられている。係合凹部５０１の断面形状は、パチンコ機１００の側面外側から見ると、一段低くなった窪み５０２が形成され、更に、一段低くなるとともに、先端が鍵形状となる鍵部５０４に形成されている。
【００８６】
また、内枠１８２の係合凸部５５０は、内枠１８２が閉扉して外枠１８０と係合した場合に、外枠１８０の係合凹部５０１の窪み５０２に対向する位置に第１凸部５５２が形成され、鍵部５０４に対向する位置に第２凸部５５４が形成されている。
【００８７】
窪み５０２と鍵部５０４を連続して繋ぐ凹部側底面５０３と、第１凸部５５２と第２凸部５５４を連続して繋ぐ凸部側底面５５３は略密接状態で係合するようになっている。したがって、外枠１８０と内枠１８２が係合された状態では、不正行為に使用されるピアノ線などの細い工具であっても、内枠１８２を完全に開かない限りパチンコ機１００内部に進入することができない。
【００８８】
また、仮に凹部側底面５０３と凸部側底面５５３の間を通り抜けた場合でも、外枠１８０には係合凸部５００方向に折れ曲がった鍵部５０４が形成されているので、ピアノ線は、鍵部５０４によって進入方向を変えられ、パチンコ機１００内部に進入することができないようになっている。
【００８９】
なお、第１凸部５５２は、第１実施形態と同様に薄板の片状部材であり、バールなどでこじ開けられた場合に、変形又は破損し易くなっているので、遊技店の店員によって外部から不正行為を早期に発見できるようになっている。勿論、第１凸部５５２の根元近傍には第４実施形態で説明した括れ部又は切り欠きを設けても良いことは言うまでもない。括れ部又は切り欠きを設けることによって、内枠１８２をこじ開ける、ちょっとした不正行為でも確実に、且つ早期に発見することができる。
【００９０】
また、窪み５０２の第１凸部５５２と対向する側面には、前述した他の実施形態で説明した識別模様Ｍを付することが好ましい（図５参照）。係合凹部５０２に識別模様Ｍを付しておくことによって、遊技店の店員は、より確実に且つ早期に不正行為を発見できる。
【００９１】
なお、鍵部５０４の形状は、ピアノ線などの細線工具の進入方向を変えることができるものであれば同図（ａ）の形状のものに限定されるものではなく、例えば、同図（ｂ）〜（ｄ）に示す形状やその他の形状でも好ましい。
【００９２】
同図（ｂ）に示される実施例は、鍵部５０４の先端が更に前面（内枠１８０）側と反対方向に９０°曲がった第２鍵部５０４Ａとなっているので、ピアノ線などがより進入し難くなっている。また、同図（ｃ）に示される実施例は、鍵部５０４の先端が前面（内枠１８０）から遠ざかる方向に斜めに形成されたテーパ形状となっているテーパ部５０４Ｂとなっているので、ピアノ線などがより進入し難くなっている。また、同図（ｄ）に示される実施例は、鍵部５０４の先端がＲ形状となっているＲ部５０４Ｃとなっており、さらにＲ部５０４Ｃの先端は前面（内枠１８０）から遠ざかる方向に向かって形成されているので、ピアノ線などがより進入し難くなっている。
【００９３】
なお、同図（ｅ）に示される実施例のように、内枠１８２の係合凸部６００に鍵部６０２を形成しても良い。より詳細には、内枠１８２の係合凸部６００のパチンコ機１００内部側には、先端がパチンコ機１００の外側方向に折れ曲がった鍵部６０２が形成されている。このように係合凸部６００に鍵部６０２を形成しても係合凹部に鍵部を設けたのと同様の効果があり、ピアノ線などのパチンコ機１００への進入を防ぐことができる。この場合、外枠１８０のパチンコ機１００の外側と内側にそれぞれ係合凹部６５０、６５２が設けられており、外枠１８０に凸部６５３が形成されているような形状となっている。この凸部６５３は、係合凸部６００と鍵部６０２により形成される収容部６０２Ａを塞ぐように収容されるので、ピアノ線などの細線のパチンコ機１００への進入をより確実に防ぐことができる。
【００９４】
次に図９（ａ）を用いて、本発明の第７実施形態に係る係合凸部及び係合凹部について説明する。第７実施形態は、係合凸部７００が内枠１８２とは異なり、且つ小さい力で容易に変形又は破損する軟質材により形成され、係合凸部７００が変形又は破損し易くなっているところ特徴がある。これにより、他の遊技装置の収容箱となる内枠１８２は、他の遊技装置を保護するように剛性のある部材で形成し、係合凸部７００だけを強度の低い部材で形成することができる。
【００９５】
したがって、凸部（係合凸部７００）は、該凸部が設けられている外枠１８０又は内枠１８２とは別部材で構成され、外枠１８０又は内枠１８２よりも軟質材で形成されているので、係合凸部７００が変形又は破損し易くなり、遊技店の店員は、不正行為が行われたことを早期に発見できる。
【００９６】
換言すると、バールなどで内枠１８２がこじ開けられた場合に、係合凸部７００が容易に変形又は破損するようになっており、遊技店の店員は不正行為を早期に発見できる。また、係合凸部７００だけが破損した場合には、係合凸部７００だけを交換できるので、交換費用を低くすることができる。
【００９７】
また、図９（ｂ）は、本発明の第８実施形態に係る外枠１８０と内枠１８２の係合凹部及び係合凸部近傍の拡大断面図である。第９実施形態は、係合凹部１８２Ａに層構造の識別模様Ｎを付したところに特徴がある。
【００９８】
識別模様Ｎは、３層構造（第１層Ｎ１〜第３層Ｎ３）になっていて、シールのように１層１層めくれるようになっている。同図（ｂ）及び（ｃ）に示されるように、側面ａは、外枠１８０の壁面の模様（例えば、樹脂又は金属の側面模様）である。側面ｂは、係合凹部１８２Ａの内側面の模様であり、例えば、波線模様である。側面ｃは、識別模様Ｎの第１層Ｎ１の模様である。第１層Ｎ１の模様は、本実施例では側面ｂと連続する波線模様である。側面ｄは、識別模様Ｎの第２層Ｎ２の模様である。本実施例では、ドット模様となっている。なお、識別模様Ｎの第１層Ｎ１をめくると第２層Ｎ２が表出するようになっている。側面ｅは、識別模様Ｎの第３層Ｎ３の模様である。本実施例では、注意の文字となっている。なお、識別模様Ｎの第２層Ｎ２をめくると第３層Ｎ３が表出するようになっている。側面ｆは、係合凹部１８２の側壁に付された模様であり、本実施例では、殿顔が付された図柄となっている。識別模様Ｎの第３層Ｎ３がめくられると、係合凹部１８２の側面が表出し、殿顔図柄が現れる。
【００９９】
この側面ａ〜ｆは、遊技店の店内照明の明るさなどにより遊技店の店員が認識し易いものを自由に選ぶことができ、また、店員の好みに応じて識別模様Ｎをめくることで設定できる。つまり、遊技店の店員が側面ｅの注意の文字が最も認識し易いと感じた場合には、識別模様Ｎの第１層Ｎ１をめくり第２層Ｎ２を表出させることで設定することができる。
【０１００】
勿論、識別模様Ｎの模様（図柄）や層数は、本実施形態に限定されるものではなく、例えば、遊技店内にブラックライトの照明があるような場合には、係合凹部の側面をブラックライトに反応して光るような塗料を塗布しても好ましい。
【０１０１】
また、前述の実施例とは反対に、図１０に示されるように、外枠１８０に係合凸部１８１を設け、内枠１８２に係合凹部１８３を設けるようにしても良い。
【０１０２】
図１０は、本発明の第９実施形態に係る外枠１８０及び内枠１８２の係合凸部１８１と係合凹部１８３近傍を拡大した断面図である。
【０１０３】
外枠１８０に設けられる係合凸部１８１は、前述した第１実施形態で説明した係合凸部１８２Ａと同じように薄板片状の突起である。従って、内枠１８２をこじ開けるためにバールなどで開こうとした場合、外枠１８０の係合凸部１８１は変形又は破損するようになっている。
【０１０４】
また、内枠１８２には、外枠１８０の係合凸部１８１と係合するように係合凹部１８３が設けられている。したがって、係合凸部１８１が変形又は破損した場合に、係合凹部１８３の係合面１８３Ａが露出する。つまり、露出した係合面１８３Ａと係合凹部１８３、内枠１８２の面状態が異なるため、遊技店の店員は不正行為を認識することができ、より早期に不正行為を発見できる。
【０１０５】
また、係合凹部１８３の係合面１８３には、前実施例で説明したような識別模様を付しておくことがより好ましい。識別模様を付しておくことにより、遊技店の店員は不正行為を認識することができ、より早期に不正行為を発見できる。
【０１０６】
また、本発明は、外枠１８０及び内枠１８２の係合凹部と係合凸部に限定されるものではなく、内枠１８２と上扉１５０又は下扉１６０の係合外縁部に用いても好ましい。また、例えば、図１１に示されるように、主制御基板１９２や電源基板１９８を収容する基板ケースに用いても好ましい。
【０１０７】
図１１に示される、基板ケース２００は、主制御基板１９２を収納するものである。基板ケース２００は、蓋部材２１０と基板収容部材２２０とから構成され、蓋部材２１０は、基板収容部材２２０に対して開閉可能に軸支されている。一方基板収容部材２２０の収容空間２２０Ａには主制御基板１９２が収容されている。
【０１０８】
蓋部材２１０は、１面が開口した６面体部材であり、開口部の外縁には、係合凸部２１２が形成されている。
【０１０９】
また、基板収容部材２２０は、１面が開口した６面体部材であり、主制御基板１９２を収容するための収容部２２０Ａが設けられている。また、開口部の外縁には、係合凹部２２２が形成されている。
【０１１０】
蓋部材２１０が閉じられて基板収容部材２２０と係合した場合、係合凸部２１２は係合凹部２２２の少なくとも一部を覆うように係合する。
【０１１１】
したがって、バールなどで蓋部材２１０をこじ開けようとした場合、係合凸部２１２は変形又は破損し、係合凹部２２２の係合凸部２１２と係合する係合面２２２Ａが露出するようになっている。上記の構成によって、遊技店の店員は、基板ケース２００の係合凸部２１２が変形しているのを目視で確認することができ、不正行為を早期に発見することができる。
【０１１２】
なお、係合凹部２２２の係合凸部２１２と係合する係合面２２２Ａには、前述した実施形態と同じように識別模様を付してもよいことは言うまでもなく、識別模様が露出することで不正行為をより発見し易くすることができる。
【０１１３】
勿論、係合凸部２１２の凸部根元近傍に括れや切り欠きを形成し、変形し易くしてもよく、係合凸部２１２を強度の弱い別部材で形成することも好ましい。いずれの場合も、係合凸部２１２を変形又は破損し易くすることができ、早期に発見するようにすることができる。
【０１１４】
尚、本発明の遊技台は、上記した実施の形態に限定されるものではなく、本発明の要旨を逸脱しない範囲内において種々変更を加え得ることは勿論である。
【産業上の利用可能性】
【０１１５】
本発明に係る遊技台は、スロットマシンや遊技機（パチンコ等）に代表される遊技台に適用することができる。
【符号の説明】
【０１１６】
１００  パチンコ機
１０２  遊技盤
１０４  遊技領域
１１０  装飾図柄表示装置
１１２  普通図表示装置
１１４  特別図表示装置
１２２  一般入賞口
１２４  普図始動口
１２６  第１特図始動口
１２８  第２特図始動口
１３０  可変入賞口
１８０  外枠
１８０Ａ  係合凹部
１８２  内枠
１８２Ａ  係合凸部
【図１】
2010158320.tif 000003
【図２】
2010158320.tif 000004
【図３】
2010158320.tif 000005
【図４】
2010158320.tif 000006
【図５】
2010158320.tif 000007
【図６】
2010158320.tif 000008
【図７】
2010158320.tif 000009
【図８】
2010158320.tif 000010
【図９】
2010158320.tif 000011
【図１０】
2010158320.tif 000012
【図１１】
2010158320.tif 000013
【図１２】
2010158320.tif 000014